(57)【要約】      （修正有）【課題】捕獲対象者が動き回っている状況でも確実に拘束できる開閉式捕獲器を提供する。【解決手段】開閉式捕獲器が二股状の捕獲部と、捕獲部を支持する柄と、捕獲部の先端に位置する屈曲部と、屈曲部の開閉動作を操作する操作部と、屈曲部の閉鎖状態を維持するロック機構とを備える。二股状の捕獲部の先端に位置する屈曲部のみが開閉する。【選択図】図１
0003167541.tif 000002
【実用新案登録請求の範囲】
【請求項１】
二股状の捕獲部と、前記捕獲部を支持する柄と、前記捕獲部の先端に位置する屈曲部と、前記屈曲部の開閉動作を操作する操作部と、前記屈曲部の閉鎖状態を維持するロック機構とを備えることを特徴とする開閉式捕獲器。
【請求項２】
前記屈曲部が開放状態にあるとき、前記屈曲部の２本の軸の間隔が先端に向かって拡がっていることを特徴とする請求項１に記載の開閉式捕獲器。
【考案の詳細な説明】
【技術分野】
【０００１】
本考案は、不審者等を捕獲する捕獲器に関し、特に二股状の捕獲部の先端部のみが開閉する開閉式捕獲器に関する。
【背景技術】
【０００２】
従来、盗人、不審者等の捕獲対象者を捕獲するための器具としていわゆる刺股が知られている。刺股は長手の柄の先端にＵ字型の金具等を取り付けたもので、Ｕ字部分を捕獲対象者に押し付けてその動きを封じるものである。
近年、特に小学校やコンビニエンスストアー等への不法侵入者が増加していることを背景に刺股が注目を集めており、より機能的な刺股が種々開発されている。
例えば、図９に示す特許文献１に記載の開閉式捕獲器は、スライドシャフト１１の先端部１１ａを捕獲対象者Ａに押しつけることにより、スライドシャフト１１が筒体１内を手元方向に摺動し、その摺動の幅に応じて二本のアーム２１が閉鎖し、かつ、スライドシャフト１１の先端方向への摺動がストッパー手段１２によって制御される構造になっている。
また、図１０に示す特許文献２に記載の捕獲式刺股は、棒部材２の前端に二股部材１１及び捕獲部材１２、１３を備えている。そして、犯人の首や四肢を捕獲部材１２、１３に付き当てると、捕獲部材１２、１３が内側に回転して首や四肢が二股部材１１内に取り込まれる構造になっている。
また、図１１に示す特許文献３に記載の刺股型開閉式捕獲器はゲート式の可動レバー３と捕獲レバー２を備え、可動レバー３を捕獲対象者に押し付けると可動レバー３が後方に回転し、可動レバー３と一体に回転する捕獲レバー２が捕獲対象者を包み込むように閉鎖し、その後は逆転防止金具５により拘束状態が維持される構造になっている。
また、図１２に示す特許文献４に記載の捕り物具は、弾性を有するアーム３、４が第一折り返し辺５、６と第二折り返し辺７、８を有し、更に滑り止め手段９を有しているため、一旦捕り物具本体２の内部に捕獲対象者を取り込むと、その後は逃げ出し辛い構造になっている。
【先行技術文献】
【特許文献】
【０００３】
【特許文献１】特開２００７−７１５２５号公報
【特許文献２】特開２００５−２９１６０３号公報
【特許文献３】特開２００５−１６４１１２号公報
【特許文献４】特開２００６−３４３０６８号公報
【考案の概要】
【考案が解決しようとする課題】
【０００４】
しかし、上述した従来技術では以下のような問題がある。
すなわち、特許文献１に記載の技術ではスライドシャフト先端部１１ａを捕獲対象者Ａに押し付ける必要があるが、捕獲対象者が抵抗して動き回っている状況下では、捕獲対象者をアームの内部に入れるだけで時間がかかるため、その後更に先端部１１ａを捕獲対象者に押しつけるのは容易ではない。特に捕獲対象者に筒体１を手で掴まれてしまった状況では、捕獲対象者と先端部１１ａの間に隙間が空いてしまうため、先端部１１ａを捕獲対象者に押し付けることはほぼ不可能になる。
また、特許文献２に記載の技術では、通常状態において二股部材１１の先端の開口は捕獲部材１２、１３でほぼ閉鎖されている。すなわち、捕獲対象者に正対した状況で刺股を捕獲対象者に付き出すと、捕獲部材１２、１３は捕獲対象者から見て水平方向に延びる位置にあるため、捕獲対象者は捕獲部材１２、１３を手で容易に掴むことができる。そして、一旦手で掴まれてしまうと、その後に捕獲対象者を二股部材１１内に拘束することは極めて困難になる。
また、特許文献３に記載の技術も上記特許文献２と同様に捕獲対象者に正対した状況で刺股を捕獲対象者に付き出すと、可動レバー３が捕獲対象者から見て水平方向に延びる位置にあるため、捕獲対象者が可動レバー３を容易に掴むことができる。
また、特許文献４に記載の技術では、捕獲対象者が左右のアーム３、４の中心位置にくるように捕り物具をその軸方向に真っすぐ正確に付き出さなければ捕獲が難しい。換言すると、捕り物具を付き出した際に捕獲対象者が例えば右のアーム３に近い位置に存在すると、右のアーム３の弾性変形量と左のアーム４の弾性変形量が異なるため、捕獲対象者がいずれかのアームに引っ掛かり、捕り物具本体の内部に拘束することが難しくなってしまう。
【０００５】
本考案は上記問題に鑑み、捕獲対象者が動き回っている状況でも確実に拘束できる開閉式捕獲器を提供することを課題とする。
【課題を解決するための手段】
【０００６】
本考案の開閉式捕獲器は、二股状の捕獲部と、捕獲部を支持する柄と、捕獲部の先端に位置する屈曲部と、屈曲部の開閉動作を操作する操作部と、屈曲部の閉鎖状態を維持するロック機構とを備えることを特徴とする。
また、屈曲部が開放状態にあるとき、屈曲部の２本の軸の間隔が先端に向かって拡がっていることを特徴とする。
【考案の効果】
【０００７】
本考案の開閉式捕獲器は二股状の捕獲部の先端に位置する屈曲部のみが開閉する。つまり、屈曲部を開放状態にすることで捕獲対象者に正対した状況下において捕獲対象者が掴み易い部分を極力減らすことができる。
また、一旦捕獲対象者を捕獲部に捕獲した後は、操作部を操作して屈曲部を閉鎖状態にすることで捕獲対象者を捕獲部に拘束できる。
更にロック機構で屈曲部の閉鎖状態を維持できるので、捕獲対象者は自力で屈曲部を開放状態まで拡げることが困難であり、捕獲対象者が動き回っている状況でも確実に拘束することができる。
また、仮に捕獲対象者が柄や捕獲部を手で掴んでいる状況であっても、捕獲対象者の後方（背中側）から屈曲部を閉鎖状態にすることで容易に拘束できる。
また、開放状態において屈曲部の２本の軸の間隔が先端に向かって拡がるようにすることで、捕獲対象者を捕獲部内により入れやすくできる。
【図面の簡単な説明】
【０００８】
【図１】開閉式捕獲器の全体を示す斜視図である。
【図２】屈曲部の開放状態を示す拡大図である。
【図３】屈曲部の閉鎖状態を示す拡大図である。
【図４】捕獲部と屈曲部の連結構造を示す拡大図である。
【図５】操作部を示す拡大図である。
【図６】ワイヤーとグリップ部の連結構造を示す拡大図である。
【図７】ロック機構によるロック状態を示す図である。
【図８】屈曲部の他の構成例を示す拡大図である。
【図９】特許文献１の開閉式捕獲器を示す図である。
【図１０】特許文献２の捕獲式刺股を示す図である。
【図１１】特許文献３の刺股型開閉式捕獲器を示す図である。
【図１２】特許文献４の捕り物具を示す図である。
【考案を実施するための形態】
【０００９】
図１に示すように、本考案の開閉式捕獲器１０（以下、単に「捕獲器」ともいう）は捕獲部２０、柄３０、屈曲部４０、操作部５０及びロック機構６０から概略構成されている。
図２に示すように、捕獲部２０は屈曲部４０と一体になって捕獲対象者を内部に拘束するための二股状の部材であり、鉄製の中空パイプを湾曲させて平面視Ｕ字状になるように一体成形されている。なお、柄３０及び屈曲部４０も同様に中空パイプで構成されている。
柄３０は捕獲部２０の後端に接合されて捕獲部２０を支持するための棒状部材である。柄３０の中央部には捕獲器１０の取り回しを容易にすべく第１ハンドル３１及び第２ハンドル３２が取り付けられている。柄３０の長さは１．６メートル程度が好ましい。１．５メートル以下にすると捕獲した捕獲対象者が身体を屈曲させて手を伸ばすことで捕獲器１０の使用者に触れて危害を加えるおそれがあるからである。
屈曲部４０は捕獲部２０の先端に位置する部材であり、操作部５０を操作することで図３中に矢印で示すように内側に屈曲し、捕獲部２０と一体に捕獲対象者を内部に拘束するようになっている。
【００１０】
捕獲部２０と屈曲部４０との連結箇所について説明すると、図４に示すように捕獲部２０の先端の左右両側にはスリット２１が形成されている（図４には右側のスリット２１のみを示している）。また、屈曲部４０の後端の左右両側にも同様にスリット４１が形成されている（図４には右側のスリット４１のみを示している）。そして、薄板状の連結板７０の前後両端がそれぞれピン７１とピン７２により軸支されている。これにより、屈曲部４０は捕獲部２０に対して左右方向に回転可能な構造になっている。
また、捕獲部２０の先端と屈曲部４０の後端はコイルばね８０の内部に挿入されている。コイルばね８０自身はその前後両端においてそれぞれ屈曲部４０及び捕獲部２０の表面に固定されている。
コイルばね８０は負荷がかかっていない状態で直線状態となるように、つまり中心軸が直線となるように設計されている。また、連結板７０を介して捕獲部２０と屈曲部４０が連結しているので、屈曲部４０に力が作用していない状態（開放状態）では屈曲部４０の軸方向を捕獲部２０の軸方向にほぼ一致させるような力がコイルばね８０から屈曲部４０に対して作用している。これにより捕獲部２０と屈曲部４０は全体として平面視した場合にほぼＵ字状になっており、左右の両屈曲部４０の軸は平面視した場合にほぼ平行になっている。
【００１１】
図５及び図６に示すように、操作部５０は屈曲部４０の開閉動作を操作するために、柄３０の後端部に設けられており、枠体５１と、枠体５１内を前後方向に摺動するグリップ部５２と、グリップ部５２の操作により屈曲部４０を開閉させるためのワイヤー５３を備える。
枠体５１はその表裏両面と左右両側面が薄板を接合することで形成されており、中央に開口５４を備える。
グリップ部５２は平面視ロ字状の薄板からなる部材であり、その左右両側が枠体５１内に嵌合することで枠体５１の開口５４内を前後方向に摺動可能になっている。
【００１２】
図６に示すように、ワイヤー５３はその一方の端部がグリップ部５２の前部に連結している。そして、ワイヤー５３はグリップ部５２から枠体５１の前部に形成した第一開口５５を介して中空パイプからなる柄３０の内部を通り、柄３０の上部近傍に形成した第二開口５６（図３参照）において外部に露出すると共に左右に分岐し、捕獲部２０に取り付けた複数のリング５７を通り、他方の端部が屈曲部４０の先端の内側に連結している。
なお、図５及び図７はグリップ部５２の前部に保護カバー５８を巻いた状態を示しており、図６は保護カバー５８を取った状態を示している。また、図６では柄３０及びロック機構６０の図示を省略している。
【００１３】
上述の通り、通常状態（開放状態）では捕獲部２０と屈曲部４０は全体として平面視した場合にほぼＵ字状になっており、グリップ部５２を握りしめて枠体５１の後方に移動させると、グリップ部５２に連結しているワイヤー５３が後方に引っ張られる。ワイヤー５３は屈曲部４０の先端に連結しており、屈曲部４０の後端はピン７１で軸支されているので、ワイヤー５３によって後方に引っ張られた屈曲部４０はコイルばね８０の力に抗してピン７１で軸支された箇所を中心にして後方に回転していき、柄３０の軸に対してほぼ直交する位置まで回転した状態（閉鎖状態）で停止する。
閉鎖状態では捕獲部２０と屈曲部４０は全体として平面視した場合にほぼＤ字形状になる。また、閉鎖状態ではコイルばね８０はほぼ直角に屈曲しており、屈曲部４０に対してコイルばね８０の復元力が作用した状態が維持されている。
図５に示すように、ロック機構６０は側面視した場合にほぼＬ字状の薄板部材である。ロック機構６０の一方の端部は枠体５１の前部に蝶番６１で連結されており、この部分を中心にして前後方向に回転可能となっている。
ロック機構６０の他方の端部にはほぼ直角に折れ曲がった当接部６２が形成されている。グリップ部５２を握りしめて屈曲部４０を閉鎖状態にすると、上述の通り屈曲部４０に対してコイルばね８０の復元力が作用していることから、この復元力がワイヤー５３を介してグリップ部５２に作用し、グリップ部５２を前方に戻そうとする力が働く。そこで、図７に示すようにロック機構６０を後方に回転させ、当節部６２をグリップ部５２の前部に当節させることで、グリップ部５２の前方への移動が制限され、屈曲部４０の閉鎖状態を維持することができる。
【００１４】
なお、上記実施の形態においては開放状態において左右２本の屈曲部４０の軸がほぼ平行になっているものとしたがこれに限らず、図８に示すように屈曲部４０の２本の軸の間隔が先端に向かって拡がるようにしてもよい。この場合、トーションばね（図示省略）とコイルばね８０を併用するのが好ましい。具体的にはトーションばね自体を連結板７０に固定した状態で、トーションばねの２本のアームのうち一方を屈曲部４０内に固定し、他方を捕獲部２０内に固定する。２本のアームがなす角度（アーム角度）を１８０度よりも大きくすることで、屈曲部４０の２本の軸の間隔を先端に向かって拡げることができる。これにより捕獲対象者を捕獲部２０内に捕獲し易くなる。
また、上記実施の形態においてはワイヤー５３が柄３０の上部近傍に形成した第二開口５６において外部に露出するものとしたがこれに限らず、柄３０の内部を通って捕獲部２０内を左右に分岐し、捕獲部２０の前端近傍で外部に露出する構造であってもよい。
【産業上の利用可能性】
【００１５】
不審者等を捕獲する開閉式捕獲器に関するものであり、産業上の利用可能性を有する。
【符号の説明】
【００１６】
１０  開閉式捕獲器
２０  捕獲部
３０  柄
４０  屈曲部
５０  操作部
６０  ロック機構
７０  連結板
８０  コイルばね
【図１】
0003167541.tif 000003
【図２】
0003167541.tif 000004
【図３】
0003167541.tif 000005
【図４】
0003167541.tif 000006
【図５】
0003167541.tif 000007
【図６】
0003167541.tif 000008
【図７】
0003167541.tif 000009
【図８】
0003167541.tif 000010
【図９】
0003167541.tif 000011
【図１０】
0003167541.tif 000012
【図１１】
0003167541.tif 000013
【図１２】
0003167541.tif 000014